(57)【要約】      （修正有）【課題】撮像装置の遠隔操作の誤動作をより確実に防止する。【解決手段】撮像装置は、手で固定されていることを検知した場合（Ｓ３０３）、遠隔操作のための信号に基づく撮像装置の動作を制限する（Ｓ３０５）。また、撮像装置が固定されている際の手の向きを検知し、第１の手の向きで固定されていることが検知された場合、信号に基づく撮像装置の動作を制限し、第２の手の向きで固定されていることが検知された場合、信号に基づく撮像装置の動作を制限しない。【選択図】図３
2014013273.tif 000002
【特許請求の範囲】
【請求項１】
当該撮像装置を遠隔操作するための信号を受信する受信手段と、
当該撮像装置が手で固定されていることを検知する検知手段と、
当該撮像装置が手で固定されていることが前記検知手段により検知された場合、前記受信手段により受信される前記信号に基づく当該撮像装置の動作を制限する制御手段とを有することを特徴とする撮像装置。
【請求項２】
前記制御手段は、当該撮像装置が手で固定されていることが前記検知手段により検知されない場合、前記受信手段により受信される前記信号に基づく当該撮像装置の動作を制限しないことを特徴とする請求項１に記載の撮像装置。
【請求項３】
前記検知手段は、当該撮像装置が手で固定されている際の当該手の向きを検知し、前記制御手段は、第１の手の向きで当該撮像装置が固定されていることが前記検知手段により検知された場合、前記受信手段により受信される前記信号に基づく当該撮像装置の動作を制限することを特徴とする請求項１に記載の撮像装置。
【請求項４】
前記制御手段は、第２の手の向きで当該撮像装置が固定されていることが前記検知手段により検知された場合、前記受信手段により受信される前記信号に基づく当該撮像装置の動作を制限しないことを特徴とする請求項３に記載の撮像装置。
【請求項５】
前記検知手段は、複数のタッチセンサからの出力に基づいて、当該撮像装置が手で固定されている際の当該手の向きを検知することを特徴とする請求項３又は４に記載の撮像装置。
【請求項６】
前記複数のタッチセンサは、前記第１の手の向きで当該撮像装置が固定された場合に当該手が接触する位置に設置されるタッチセンサを含むことを特徴とする請求項５に記載の撮像装置。
【請求項７】
前記検知手段は、当該撮像装置に対して接触した手の形状を認識するタッチセンサからの出力に基づいて、当該撮像装置が手で固定されている際の当該手の向きを検知することを特徴とする請求項３又は４に記載の撮像装置。
【請求項８】
前記受信手段における通信方式を判定する判定手段を更に有し、
前記制御手段は、当該撮像装置が手で固定されていることが前記検知手段により検知され、且つ、前記受信手段における通信方式が第１の通信方式であると前記判定手段により判定された場合、前記受信手段により受信される前記信号に基づく当該撮像装置の動作を制限することを特徴とする請求項１に記載の撮像装置。
【請求項９】
前記制御手段は、当該撮像装置が手で固定されていることが前記検知手段により検知され、且つ、前記受信手段における通信方式が第２の通信方式であると前記判定手段により判定された場合、前記受信手段により受信される前記信号に基づく当該撮像装置の動作を制限しないことを特徴とする請求項８に記載の撮像装置。
【請求項１０】
前記第１の通信方式は、赤外線通信方式であり、前記第２の通信方式は、Bluetooth通信方式又は無線ＬＡＮ通信方式であることを特徴とする請求項９に記載の撮像装置。
【請求項１１】
当該撮像装置を遠隔操作するための信号を受信する受信手段を有する撮像装置の制御方法であって、
当該撮像装置が手で固定されていることを検知する検知ステップと、
当該撮像装置が手で固定されていることが前記検知ステップにより検知された場合、前記受信手段により受信される前記信号に基づく当該撮像装置の動作を制限する制御ステップとを有することを特徴とする撮像装置の制御方法。
【請求項１２】
当該撮像装置を遠隔操作するための信号を受信する受信手段を有する撮像装置の制御方法をコンピュータに実行させるためのプログラムであって、
当該撮像装置が手で固定されていることを検知する検知ステップと、
当該撮像装置が手で固定されていることが前記検知ステップにより検知された場合、前記受信手段により受信される前記信号に基づく当該撮像装置の動作を制限する制御ステップとをコンピュータに実行させるためのプログラム。
【発明の詳細な説明】
【技術分野】
【０００１】
本発明は、撮像装置の遠隔操作の誤動作を防止する技術に関するものである。
【背景技術】
【０００２】
従来、撮像装置の遠隔操作の誤動作防止方法として、ファインダの接眼を検知した場合、リモコンを無効にする技術が知られている（特許文献１参照）。
【先行技術文献】
【特許文献】
【０００３】
【特許文献１】特許第３８７０１６６号公報
【発明の概要】
【発明が解決しようとする課題】
【０００４】
しかしながら、現在、ファインダが付随されていない撮像装置が多数普及している。このような撮像装置に対しては、従来技術では、撮像装置の遠隔操作の誤動作を防止することができない。
【０００５】
そこで、本発明の目的は、撮像装置の遠隔操作の誤動作をより確実に防止することにある。
【課題を解決するための手段】
【０００６】
本発明の撮像装置は、当該撮像装置を遠隔操作するための信号を受信する受信手段と、当該撮像装置が手で固定されていることを検知する検知手段と、当該撮像装置が手で固定されていることが前記検知手段により検知された場合、前記受信手段により受信される前記信号に基づく当該撮像装置の動作を制限する制御手段とを有することを特徴とする。
【発明の効果】
【０００７】
本発明によれば、撮像装置の遠隔操作の誤動作をより確実に防止することができる。
【図面の簡単な説明】
【０００８】
【図１】本発明の第１の実施形態に係る撮像装置の外観構成を示す図である。
【図２】本発明の第１の実施形態に係る撮像装置の内部構成を示す図である。
【図３】本発明の第１の実施形態に係る撮像装置の処理を示すフローチャートである。
【図４】本発明の第２の実施形態に係る撮像装置の外観構成を示す図である。
【図５】本発明の第２の実施形態に係る撮像装置の処理を示すフローチャートである。
【図６】本発明の第３の実施形態におけるリモコン受信部の構成を示す図である。
【図７】本発明の第３の実施形態に係る撮像装置の処理を示すフローチャートである。
【発明を実施するための形態】
【０００９】
以下、本発明を適用した好適な実施形態を、添付図面を参照しながら詳細に説明する。
【００１０】
先ず、本発明の第１の実施形態について説明する。図１は、本発明の第１の実施形態に係る撮像装置の外観構成を示す図である。図１において、１００は、撮像装置である。図１に示すように、撮像装置１００は、サイドグリップベルト１０１及びタッチセンサ１０２を備える。使用者は、サイドグリップベルト１０１に手を通すことにより、撮像装置１００を手で固定することができる。タッチセンサ１０２は、使用者がサイドグリップベルト１０１に手を通した際に、手が触れる位置に設置されている。図１に示す例では、タッチセンサ１０２は、撮像装置１００本体に取り付けられているが、サイドグリップベルト１０１の内側に設置してもよい。
【００１１】
図２は、本発明の第１の実施形態に係る撮像装置１００の内部構成を示す図である。図２に示すように、撮像装置１００は、マイコン２０１、ＲＯＭ２０２、ＲＡＭ２０３、撮像部２０４、画像処理部２０５、記録媒体２０６、表示部２０７、操作部２０８、リモコン受信部２０９及びタッチセンサ１０２を備える。なお、図１に示すタッチセンサ１０２と図２に示すタッチセンサ１０２とは同一のものである。
【００１２】
マイコン２０１は、撮像装置１００のシステム制御を行うマイクロコンピュータである。ＲＯＭ２０２は、不揮発性メモリである。ＲＡＭ２０３は、揮発性メモリである。ＲＯＭ２０２には、マイコン２０１が動作するためのプログラムやデータが保持されている。ＲＡＭ２０３は、マイコン２０１によって撮像装置１００のシステム制御が行われる際、作業領域として使用される。また、ＲＡＭ２０３は、撮像装置１００が現在どのような設定であるか、現在どのように動作しているかを示す本体情報を保持している。即ち、本体情報には、撮像装置１００の現在の動作モード（録画モード、再生モード及び撮影モード等）を示すモード情報や、リコモンが有効に設定されているか、無効に設定されているかを示すリモコン有効／無効設定情報等が含まれる。
【００１３】
撮像部２０４は、マイコン２０１からの指示に応じて、被写体を撮像する。撮像部２０４の撮像処理によって生成された画像データは、画像処理部２０５に対して出力される。画像処理部２０５は、撮像部２０４において生成された画像データのリサイズ、輝度補正及び圧縮処理等を行った後、記録媒体２０６に対して出力する。記録媒体２０６は、画像処理部２０５によって画像処理が施された画像データを記録する。記録媒体２０６としては、例えば、ＳＤカード、Ｆｌａｓｈメモリ又はハードディスク等が挙げられる。表示部２０７は、液晶ディスプレイ等で構成される。表示部２０７には、撮像部２０４の撮像処理により生成され、画像処理部２０５において画像処理が施された画像データが表示される。
【００１４】
操作部２０８は、撮像部２０４の撮像処理、電源ＯＮ／ＯＦＦの切り替え、及び、状態遷移等を指示するための操作部材である。状態遷移の指示とは、例えば、記録媒体２０６から画像データを読み込む再生状態から、記録媒体２０６に対して画像データを書き込む撮影状態に遷移させるための指示等である。リコモン受信部２０９は、外部のリモコンから、当該撮像装置１００を遠隔操作するための信号を受信し、マイコン２０１に対して通知する。マイコン２０１は、リコモンからの信号をデコードして制御信号に変換し、制御信号に従って撮像装置１００を制御する。
【００１５】
タッチセンサ１０２は、使用者によってタッチ（接触）されているか否かを示すタッチ情報を生成し、マイコン２０１に対して出力する。マイコン２０１は、タッチセンサ１０２から出力されるタッチ情報に基づいて、撮像装置１００が手で固定されているか否かを検知する。マイコン２０１は、タッチセンサ１０２から入力するタッチ情報やＲＡＭ２０３に保存されている本体情報に基づいて、リモコンからの信号を有効にするか、無効にするかを決定する。リモコンからの信号を無効にする場合、マイコン２０１は、リモコンからの信号が入力されても、何もしない（即ち、当該信号に基づく動作を制限する）。一方、リモコンからの信号を有効にする場合、マイコン２０１は、リコモンからの信号をデコードして制御信号に変換し、制御信号に従って撮像装置１００を制御する。
【００１６】
次に、図３を参照しながら、本発明の第１の実施形態に係る撮像装置１００の処理について説明する。ここでは、撮像装置１００が手で固定された状態で撮影モードとなっているか否かに応じて、リコモン有効状態とするか、リモコン無効状態とするかを決定する処理について説明する。なお、図３に示す処理は、マイコン２０１がＲＯＭ２０２から必要なプログラム及びデータをＲＡＭ２０３にロードして実行することにより実現する処理である。
【００１７】
ステップＳ３０１において、マイコン２０１は、ＲＡＭ２０３に保存されているリモコン有効／無効設定情報を読み出し、リモコン有効／無効設定情報によりリモコンが有効に設定されているか否かを判定する。リモコンが有効に設定されている場合、処理はステップＳ３０２に移行する。一方、リモコンが無効に設定されている場合、処理はステップＳ３０５に移行する。
【００１８】
ステップＳ３０２において、マイコン２０１は、ＲＡＭ２０３に保存されているモード情報を読み出し、モード情報により撮影モードが設定されているか否かを判定する。撮影モードが設定されている場合、処理はステップＳ３０３に移行する。一方、撮影モード以外の動作モードが設定されている場合、処理はステップＳ３０４に移行する。
【００１９】
ステップＳ３０３において、マイコン２０１は、タッチセンサ１０２から入力したタッチ情報に基づいて、タッチセンサ１０２において一定面積以上のタッチが検出されたか否かを判定する。一定面積以上のタッチが検出された場合、処理はステップＳ３０５に移行する。一方、一定面積以上のタッチが検出されなかった場合、処理はステップＳ３０４に移行する。
【００２０】
ステップＳ３０４において、マイコン２０１は、リモコン有効状態に移行させる。即ち、マイコン２０１は、リコモンからの信号を受信した場合、当該信号をデコードして制御信号に変換し、制御信号に従って撮像装置１００を制御する。ステップＳ３０５において、マイコン２０１は、リモコン無効状態に移行させる。即ち、マイコン２０１は、リモコンからの信号を受信しても、何もしない。
【００２１】
以上のように、第１の実施形態においては、撮像装置１００が手で固定された状態で撮影モードとなっている場合、リモコン無効状態に移行させている。このように、撮像装置１００が手で固定された状態で撮影モードにあるときには、撮像装置１００の操作部２０８が手で操作されることが想定される。従って、リモコン無効状態に移行させることにより、ファインダが付随されていない撮像装置であっても、リコモンからの信号による誤動作を確実に防止するようにしている。
【００２２】
次に、本発明の第２の実施形態について説明する。上述した第１の実施形態では、撮像装置が手で固定された状態で撮影モードとなっている場合、リモコン無効状態に移行させている。しかしながら、撮像装置が手で固定された状態で撮影モードとなっている場合であっても、リモコン有効状態とした方が望ましい場合もある。例えば、図４（ａ）に示すように、撮像装置４００を固定するために、サイドグリップベルト１０１に対して上から手４０１を通す場合がある。通常、図４（ｂ）に示すように、サイドグリップベルト１０１に対して手を下から通して使用することを前提に操作部が設置されている。そのため、図４（ａ）に示すような持ち方で撮像装置４００が固定された場合、撮像装置４００本体の操作部を操作することは困難となる。従って、使用者は、リモコンにより撮像装置４００を制御することがある。なお、図４（ａ）に示す手の向きは、第２の手の向きの例であり、図４（ｂ）に示す手の向きは、第１の手の向きの例である。
【００２３】
そこで、第２の実施形態に係る撮像装置４００は、図４（ｃ）に示すように、第１のタッチセンサ１０２´−１をサイドグリップベルト１０１の近傍に配置し、第２のタッチセンサ１０２´−２を撮像装置４００本体の上部に配置している。第１のタッチセンサ１０２´−１は、図４（ａ）に示すような持ち方であっても、図４（ｂ）に示すような持ち方であっても、それぞれについてタッチを検出する。一方、第２のタッチセンサ１０２´−２は、図４（ａ）に示すような持ち方ではタッチを検出するが、図４（ｂ）に示すような持ち方ではタッチを検出しない。従って、マイコン２０１は、第１のタッチセンサ１０２´−１及び第２のタッチセンサ１０２´−２のそれぞれから出力されるタッチ情報に基づいて、図４（ａ）に示すように、サイドグリップベルト１０１に対して上から手４０１が通されているか、図４（ｂ）に示すように、サイドグリップベルト１０１に対して下から手４０１が通されているかを判定することができる。そして、マイコン２０１は、図４（ｂ）に示すように、サイドグリップベルト１０１に対して下から手４０１が通されている場合、リモコン無効状態に移行させる。
【００２４】
次に、図５を参照しながら、本発明の第２の実施形態に係る撮像装置４００の処理について説明する。ここでは、図４（ｂ）に示すように、サイドグリップベルト１０１に対して下から手４０１が通された状態で撮像装置４００が撮影モードとなっているか否かに応じて、リモコン有効状態とするか、リモコン無効状態とするかを決定する処理について説明する。なお、第２の実施形態に係る撮像装置４００の構成は、タッチセンサの構成を除いて、第１の実施形態に係る撮像装置１００の構成と同様であるため、以下の説明においては、タッチセンサ以外の構成について図２に示した符号を用いるものとする。また、図５に示す処理は、マイコン２０１がＲＯＭ２０２から必要なプログラム及びデータをＲＡＭ２０３にロードして実行することにより実現する処理である。
【００２５】
ステップＳ５０１において、マイコン２０１は、ＲＡＭ２０３に保存されているリモコン有効／無効設定情報を読み出し、リモコン有効／無効設定情報によりリモコンが有効に設定されているか否かを判定する。リモコンが有効に設定されている場合、処理はステップＳ５０２に移行する。一方、リモコンが無効に設定されている場合、処理はステップＳ５０６に移行する。
【００２６】
ステップＳ５０２において、マイコン２０１は、ＲＡＭ２０３に保存されているモード情報を読み出し、モード情報により撮影モードに設定されているか否かを判定する。撮影モードが設定されている場合、処理はステップＳ５０３に移行する。一方、撮影モード以外のモードが設定されている場合、処理はステップＳ５０５に移行する。
【００２７】
ステップＳ５０３において、マイコン２０１は、第１のタッチセンサ１０２´−１から入力したタッチ情報に基づいて、第１のタッチセンサ１０２´−１により一定面積以上のタッチが検出されているか否かを判定する。第１のタッチセンサ１０２´−１により一定面積以上のタッチが検出されている場合、処理はステップＳ５０４に移行する。一方、第１のタッチセンサ１０２´−１により一定面積以上のタッチが検出されていない場合、処理はステップＳ５０５に移行する。
【００２８】
ステップＳ５０４において、マイコン２０１は、第２のタッチセンサ１０２´−２から入力したタッチ情報に基づいて、第２のタッチセンサ１０２´−２により一定面積以上のタッチが検出されているか否かを判定する。第２のタッチセンサ１０２´−２により一定面積以上のタッチが検出されている場合、処理はステップＳ５０５に移行する。第２のタッチセンサ１０２´−２により一定面積以上のタッチが検出されていない場合、処理はステップＳ５０６に移行する。
【００２９】
ステップＳ５０５において、マイコン２０１は、リモコン有効状態に移行させる。ステップＳ５０６において、マイコン２０１は、リモコン無効状態に移行させる。
【００３０】
第２の実施形態では、第２のタッチセンサ１０２´−２を撮像装置４００本体の上部に配置することにより、サイドグリップベルト１０１に対して下から手４０１が通された状態であるかを検出している。これ以外にも、図４（ｂ）に示すような状態で撮像装置４００が固定されている場合、タッチを検出し、図４（ａ）に示すような状態で撮像装置４００が固定されている場合、タッチを検出しない位置にタッチセンサを配置してもよい。このように構成しても、サイドグリップベルト１０１に対して下から手４０１が通された状態で撮像装置４００が固定されていることを検出することができる。
【００３１】
なお、第２の実施形態では、図４（ｃ）に示すように、複数のタッチセンサ（第１のタッチセンサ１０２´−１及び第２のタッチセンサ１０２´−２）を設置している。マイコン２０１は、これらの出力に基づいて、図４（ａ）に示す状態で撮像装置４００が固定されているか、図４（ｂ）に示す状態で撮像装置４００が固定されているかを判定している。その他にも、タッチの形状を認識できるような第１のタッチセンサ１０２´−１（例えば、静電容量式のタッチセンサ）を備えるようにしてもよい。マイコン２０１は、第１のタッチセンサ１０２´−１からの出力に基づいて、図４（ａ）に示すようにサイドグリップベルト１０１に対して手が上から通されているか、図４（ｂ）に示すようにサイドグリップベルト１０１に対して手が下から通されているかを判別することができる。この場合、第２のタッチセンサ１０２´−２は不要となる。
【００３２】
第２の実施形態においては、サイドグリップベルト１０１に対して上から手４０１が通された状態で撮影処理が実行されている場合、撮像装置４００本体の操作部２０８を操作することが困難となることを考慮して、リモコン有効状態に移行させている。一方、サイドグリップベルト１０１に対して下から手４０１が通された状態で撮影処理が実行されている場合、リモコン無効状態に移行させている。これにより、使用者の操作性を損なわず、且つ、ファインダが付随されていない撮像装置であっても、リコモンからの信号による誤動作を確実に防止することが可能となる。
【００３３】
次に、本発明の第３の実施形態について説明する。上述した第１及び第２の実施形態では、撮像装置が手で固定された状態で撮影モードにある場合、リモコン無効状態に移行させている。しかしながら、近年、Bluetooth（登録商標）通信方式や無線ＬＡＮ通信方式に代表されるように、ペアリング動作後、リモコン通信を行うという技術が登場しつつある。このようなリモコン通信方式では、撮像装置とリモコンとがペアリングされているため、撮像装置に他のリモコンからの信号を受け付けることはない。従って、この場合、リモコン無効状態に移行させる必要はない。一方、ＩｒＤＡ通信方式（赤外線通信方式）等のペアリング動作を行わないリモコン通信方式では、撮像装置は他のリモコンからの信号を受け付けてしまうため、リモコン無効状態に移行させることが望ましい。第３の実施形態に係る撮像装置は、以上の点に配慮したものである。
【００３４】
図６は、第３の実施形態におけるリモコン受信部２０９´の構成を示す図である。図６に示すように、第３の実施形態におけるリモコン受信部２０９´は、ＩｒＤＡリモコン受信部２０９´−１とBluetoothリコモン受信部２０９´−２とを備えており、スイッチ２０９´−３により何れかが選択される。使用者が操作部２０８を操作して、Bluetooth通信方式及びＩｒＤＡ通信方式のうちの何れかをリモコン通信方式として選択すると、使用者によって選択されたリコモン通信方式の設定情報がＲＡＭ２０３に保持される。それとともに、スイッチ２０９´−３は、使用者によって選択されたリモコン通信方式に対応する受信部と、マイコン２０１とを接続する。これ以外にも、ＩｒＤＡリコモン受信部２０９´−１及びBluetoothリコモン受信部２０９´−２の双方を常にマイコン２０１に接続させておいてもよい。この場合、マイコン２０１は、使用者によって選択されたリモコン通信方式に応じて、ＩｒＤＡリコモン受信部２０９´−１から入力する信号と、Bluetoothリコモン受信部２０９´−２から入力する信号とのうちの何れの信号を使用するかを決定する。そして、本実施形態では、使用者によってＩｒＤＡ通信方式が選択され、撮像装置が手で固定された状態で撮影モードとなっている場合に、リモコン無効状態に移行する。
【００３５】
次に、図７を参照しながら、本発明の第３の実施形態に係る撮像装置の処理について説明する。第３の実施形態は、ユーザによって選択されたリモコン通信方式に応じて、リモコン有効状態とするか、リモコン無効状態とするかを決定する処理について説明する。なお、第３の実施形態に係る撮像装置の構成は、リモコン受信部２０９´の構成を除いて第１の実施形態に係る撮像装置１００の構成と同様であるため、以下の説明においては、リモコン受信部２０９´以外の構成について図２に示した符号を用いるものとする。また、図７に示す処理は、マイコン２０１がＲＯＭ２０２から必要なプログラム及びデータをＲＡＭ２０３にロードして実行することにより実現する処理である。
【００３６】
ステップＳ７０１において、マイコン２０１は、ＲＡＭ２０３に保存されているリモコン有効／無効設定情報を読み出し、リモコン有効／無効設定情報によりリモコンが有効であることが設定されているか否かを判定する。リモコンが有効であることが設定されている場合、処理はステップＳ７０２に移行する。一方、リモコンが無効であることが設定されている場合、処理はステップＳ７０６に移行する。
【００３７】
ステップＳ７０２において、マイコン２０１は、ＲＡＭ２０３に保存されているモード情報を読み出し、モード情報により撮影モードが設定されているか否かを判定する。撮影モードが設定されている場合、処理はステップＳ７０３に移行する。一方、撮影モード以外のモードが設定されている場合、処理はステップＳ７０５に移行する。
【００３８】
ステップＳ７０３において、マイコン２０１は、タッチセンサから入力したタッチ情報に基づいて、タッチセンサ１０２により一定面積以上のタッチが検出されているか否かを判定する。一定面積以上のタッチが検出されている場合、処理はステップＳ７０４に移行する。一方、一定面積以上のタッチが検出されていない場合、処理はステップＳ７０５に移行する。
【００３９】
ステップＳ７０４において、マイコン２０１は、リコモン通信方式の設定情報をＲＡＭ２０３から読み出し、リモコン通信方式の設定情報によりＩｒＤＡ通信方式が設定されているか、Bluetooth通信方式が設定されているかを判定する。ＩｒＤＡ通信方式が設定されている場合、処理はステップＳ７０６に移行する。一方、Bluetooth通信方式が設定されている場合、処理はステップＳ７０５に移行する。
【００４０】
ステップＳ７０５において、マイコン２０１は、リモコン有効状態に移行させる。即ち、マイコン２０１は、リコモン受信部２０９´においてリモコンからの信号が受信された場合、当該信号をデコードして制御信号に変換し、制御信号に従って撮像装置を制御する。ステップＳ７０６において、マイコン２０１は、リモコン無効状態に移行させる。即ち、マイコン２０１は、リコモン受信部２０９´においてリモコンからの信号が受信された場合であっても、何もしない。
【００４１】
第３の実施形態では、撮像装置が手で固定された状態で撮影モードにあり、且つ、リモコン通信方式がBluetooth通信方式である場合、撮像装置をリモコン有効状態に移行させている。一方、撮像装置が手で固定された状態で撮影モードにあり、且つ、リモコン通信方式がＩｒＤＡ通信方式である場合、撮像装置をリモコン無効状態に移行させている。このように、第３の実施形態においては、リモコン無効状態とする必要があるリモコン通信方式が選択されている場合、リモコン無効状態に移行させるようにしている。従って、第３の実施形態によれば、ファインダが付随されていない撮像装置であっても、リコモンからの信号による誤動作を確実に防止することができるとともに、リモコン無効状態への移行制御を適切に行うことができる。なお、ＩｒＤＡ通信方式は、第１の通信方式の例であり、Bluetooth通信方式又は無線ＬＡＮ通信方式は、第２の通信方式の例である。
【００４２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００４３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４４】
１００、４００：撮像装置、１０１：サイドグリップベルト、１０２：タッチセンサ、１０２´−１：第１のタッチセンサ、１０２´−２：第２のタッチセンサ、２０１：マイコン、２０２：ＲＯＭ、２０３：ＲＡＭ、２０４：撮像部、２０５：画像処理部、２０６：記録媒体、２０７：表示部、２０８：操作部、２０９：リモコン受信部
【図１】
2014013273.tif 000003
【図２】
2014013273.tif 000004
【図３】
2014013273.tif 000005
【図４】
2014013273.tif 000006
【図５】
2014013273.tif 000007
【図６】
2014013273.tif 000008
【図７】
2014013273.tif 000009